(57)【要約】【課題】チェッカー機能を持つリテーナ（３０）を有する構成であって、パイプ体（３）を挿入直後であってもパイプ体（３）が容易に引き抜かれないようにできるクイックコネクタ（１）を提供する。【解決手段】リテーナ（３０）の一対の脚部（３２，３２）のそれぞれの脚部は、仮抜止部（４１）と、確認爪（４２）と、本抜止部（４３）を備える。仮抜止部（４１）は、リテーナ（３０）が初期位置に位置する場合に、パイプ体（３）の環状突部（３ａ）に当接することに伴って一対の脚部（３２，３２）が拡開することによりパイプ体（３）を挿入可能とし、拡開量の減少により環状突部（３ａ）に対して係止することでパイプ体（３）を抜け止めする。本抜止部（４３）は、リテーナ（３０）が確認位置に位置する場合に、環状突部（３ａ）に対して係止することでパイプ体（３）を抜け止めする。【選択図】図２５
2015048917.tif 000002
【特許請求の範囲】
【請求項１】
環状突部を有するパイプ体を挿入可能なコネクタ本体と、
前記コネクタ本体の軸方向に交差する方向への押し込み操作により、前記コネクタ本体に移動可能に設けられ、前記環状突部に係止可能なリテーナと、
を備えるクイックコネクタであって、
前記コネクタ本体は、被係止部を備え、
前記リテーナは、基部と、前記基部の両端に設けられ、拡開可能な１または複数の一対の脚部と、を備え、
前記一対の脚部のそれぞれの脚部は、
前記リテーナが押し込み操作前の初期位置に位置する場合に、前記環状突部に当接することに伴って前記一対の脚部が拡開することにより前記パイプ体を挿入可能とし、拡開量の減少により前記環状突部に対して係止することで前記パイプ体を抜け止めする仮抜止部と、
前記リテーナが前記初期位置に位置する場合に前記コネクタ本体の前記被係止部に対して押し込み方向に係止されることにより、押し込み操作による前記リテーナの移動を規制すると共に、前記環状突部に当接することに伴って径方向外方へ移動することにより前記被係止部に対する係止を解除して、前記リテーナの前記初期位置から確認位置への移動を許容する確認爪と、
前記リテーナが押し込み操作後の前記確認位置に位置する場合に、前記環状突部に対して係止することで前記パイプ体を抜け止めする本抜止部と、
を備える、クイックコネクタ。
【請求項２】
前記本抜止部は、前記仮抜止部より前記一対の脚部の基端側に設けられ、
前記本抜止部による抜止力は、前記仮抜止部による抜止力より大きい、請求項１のクイックコネクタ。
【請求項３】
前記リテーナは、前記一対の脚部を拡開させるリリース用操作部を備え、
前記リテーナが前記確認位置に位置する場合に、前記リリース用操作部の操作により前記一対の脚部を拡開させつつ、前記リテーナの引き上げ操作により、前記リテーナが前記確認位置から前記初期位置へ移動し、
前記リテーナが前記初期位置に位置する場合に、前記リリース用操作部の操作により前記一対の脚部を拡開させることで、前記仮抜止部と前記環状突部との係止が解除され、前記コネクタ本体から前記パイプ体の引き抜きを許容する、
請求項１または２のクイックコネクタ。
【請求項４】
前記リテーナは、
一対の第一脚部と、
前記一対の第一脚部に対して軸方向に隣接して設けられ、前記一対の脚部に対して独立して拡開可能な一対の第二脚部と、
を備え、
前記一対の第一脚部は、前記仮抜止部および前記本抜止部を備え、
前記一対の第二脚部は、前記確認爪を備える、
請求項１〜３の何れか一項のクイックコネクタ。
【請求項５】
前記リテーナは、１つの前記一対の脚部を備え、
前記確認爪は、前記一対の脚部のそれぞれの脚部の先端側に設けられ、
前記本抜止部は、前記一対の脚部のそれぞれの脚部の基端側に設けられ、
前記仮抜止部は、前記一対の脚部のそれぞれの脚部において前記本抜止部より先端側に設けられる、
請求項１〜３の何れか一項のクイックコネクタ。
【請求項６】
前記確認爪は、前記仮抜止部および前記本抜止部に対して軸方向に異なる位置に設けられ、
前記一対の脚部は、前記確認爪の軸方向位置にて、前記環状突部を視認可能な窓部を有する、
請求項５のクイックコネクタ。
【発明の詳細な説明】
【技術分野】
【０００１】
本発明は、クイックコネクタに関するものである。
【背景技術】
【０００２】
特開２００６−２３４０２４号公報（特許文献１）および特開２００４−３５８８号公報（特許文献２）に記載のコネクタは、コネクタ本体とリテーナとを備える構成であり、リテーナは、コネクタ本体に対してリテーナを押し込み操作することにより、パイプ体の環状突部に係止可能となる。また、リテーナを押し込み操作可能にするには、パイプ体がコネクタ本体の適正位置に挿入されていることが要件となる。つまり、上記コネクタは、リテーナの押し込み操作によって、パイプ体の適正位置への挿入を確認できる。
【０００３】
国際公開２０１２／１７３０５８号（特許文献３）に記載のコネクタは、コネクタ本体、リテーナ、チェッカーを備える構成であり、リテーナがコネクタ本体に予め設けられ、パイプ体挿入後にチェッカーの操作によって、パイプ体が適正位置に挿入されていることを確認できる。
【先行技術文献】
【特許文献】
【０００４】
【特許文献１】特開２００６−２３４０２４号公報
【特許文献２】特開２００４−３５８８号公報
【特許文献３】国際公開２０１２／１７３０５８号
【発明の概要】
【発明が解決しようとする課題】
【０００５】
ところで、パイプ体をコネクタ本体に挿入した状態であって、パイプ体が適正位置に挿入されているかを確認する前の状態において、パイプ体がコネクタ本体から容易に引き抜かれないようにすることが求められている。
【０００６】
しかし、特許文献１，２に記載のコネクタは、パイプ体をコネクタ本体に挿入して、リテーナを押し込み操作する前においては、パイプ体はコネクタ本体およびリテーナに対して何ら係止されていない。そのため、パイプ体は、コネクタに対して何の操作を行うことなく、引き抜き可能となる。
【０００７】
一方、特許文献３に記載のコネクタは、リテーナがコネクタ本体に予め設けられているため、パイプ体をコネクタ本体に挿入しただけの状態において、パイプ体がリテーナに係止される。しかし、パイプ体が適正位置に挿入されたか否かの確認は、チェッカーにより行う。つまり、当該コネクタは、コネクタ本体およびリテーナの他に、チェッカーを要する。つまり、チェッカー機能を有する部品が専用品となるため、部品点数が多い。
【０００８】
本発明は、このような事情に鑑みてなされたものであり、チェッカー機能を持つリテーナを有する構成であって、パイプ体を挿入直後であってもパイプ体が容易に引き抜かれないようにできるクイックコネクタを提供することを目的とする。
【課題を解決するための手段】
【０００９】
上記課題を解決するために、発明者は、リテーナに、パイプ体を挿入した直後において、パイプ体の環状突部に係止可能な仮抜止部を設けることとした。
【００１０】
すなわち、本手段に係るクイックコネクタは、環状突部を有するパイプ体を挿入可能なコネクタ本体と、前記コネクタ本体の軸方向に交差する方向への押し込み操作により、前記コネクタ本体に移動可能に設けられ、前記環状突部に係止可能なリテーナと、を備える。
【００１１】
前記コネクタ本体は、被係止部を備え、前記リテーナは、基部と、前記基部の両端に設けられ、拡開可能な１または複数の一対の脚部と、を備える。
前記一対の脚部のそれぞれの脚部は、前記リテーナが押し込み操作前の初期位置に位置する場合に、前記環状突部に当接することに伴って前記一対の脚部が拡開することにより前記パイプ体を挿入可能とし、拡開量の減少により前記環状突部に対して係止することで前記パイプ体を抜け止めする仮抜止部と、前記リテーナが前記初期位置に位置する場合に前記コネクタ本体の前記被係止部に対して押し込み方向に係止されることにより、押し込み操作による前記リテーナの移動を規制すると共に、前記環状突部に当接することに伴って径方向外方へ移動することにより前記被係止部に対する係止を解除して、前記リテーナの前記初期位置から確認位置への移動を許容する確認爪と、前記リテーナが押し込み操作後の前記確認位置に位置する場合に、前記環状突部に対して係止することで前記パイプ体を抜け止めする本抜止部と、を備える。
【００１２】
本手段に係るクイックコネクタによれば、リテーナがチェッカー機能を有する。従って、クイックコネクタを構成する部品点数が低減される。また、パイプ体をコネクタ本体に挿入してリテーナを押し込み操作する前の状態において、仮抜止部がパイプ体の環状突部に係止される。従って、リテーナを押し込み操作する前の状態であっても、パイプ体は、コネクタ本体から容易に引き抜かれない。
【００１３】
そして、パイプ体が適正位置に位置する場合に、リテーナが押し込み操作可能となる。つまり、リテーナが押し込み操作されることにより、パイプ体が適正位置に挿入されたことを確認できる。さらに、リテーナは、上述した仮抜止部とは別に、本抜止部を備える。リテーナが押し込み操作された後には、本抜止部がパイプ体の環状突部に係止される。従って、本抜止部が、確実にパイプ体の抜け止めを可能とする。
【００１４】
＜実施態様＞
以下に、本手段に係るクイックコネクタの好適態様について説明する。
好ましくは、前記本抜止部は、前記仮抜止部より前記一対の脚部の基端側に設けられ、前記本抜止部による抜止力は、前記仮抜止部による抜止力より大きい。
一対の脚部が拡開した状態において、基端側の拡開量が、先端側の拡開量より小さい。そして、上記においては、本抜止部が基端側に設けられ、仮抜止部が先端側に設けられている。このようにすることで、一対の脚部が拡開した場合であっても、本抜止部による抜止力が、仮抜止部による抜止力より大きくできる。従って、リテーナを押し込み操作して確認位置に位置する状態において、パイプ体の抜止効果を確実に発揮する。
【００１５】
また、好ましくは、前記リテーナは、前記一対の脚部を拡開させるリリース用操作部を備え、前記リテーナが前記確認位置に位置する場合に、前記リリース用操作部の操作により前記一対の脚部を拡開させつつ、前記リテーナの引き上げ操作により、前記リテーナが前記確認位置から前記初期位置へ移動し、前記リテーナが前記初期位置に位置する場合に、前記リリース用操作部の操作により前記一対の脚部を拡開させることで、前記仮抜止部と前記環状突部との係止が解除され、前記コネクタ本体から前記パイプ体の引き抜きを許容する。
【００１６】
作業者がリリース用操作部を操作することによって、パイプ体をコネクタ本体から引き抜くことが可能な状態となる。具体的には、リリース用操作部の第一の操作によって、リテーナを確認位置から初期位置へ移動させることを許容する。続いて、リテーナが初期位置へ移動された後に、リリース用操作部の第二の操作によって、仮抜止部とパイプ体の環状突部との係止を解除する。このように、リリース用操作部の第一の操作および第二の操作によって、パイプ体を引き抜くことが可能となる。
【００１７】
また、好ましくは、前記リテーナは、一対の第一脚部と、前記一対の第一脚部に対して軸方向に隣接して設けられ、前記一対の脚部に対して独立して拡開可能な一対の第二脚部と、を備え、前記一対の第一脚部は、前記仮抜止部および前記本抜止部を備え、前記一対の第二脚部は、前記確認爪を備える。これにより、容易に、仮抜止部、本抜止部および確認爪の機能を発揮させることができる。
【００１８】
また、好ましくは、前記リテーナは、１つの前記一対の脚部を備え、前記確認爪は、前記一対の脚部のそれぞれの脚部の先端側に設けられ、前記本抜止部は、前記一対の脚部のそれぞれの脚部の基端側に設けられ、前記仮抜止部は、前記一対の脚部のそれぞれの脚部において前記本抜止部より先端側に設けられる。この場合も、仮抜止部、本抜止部および確認爪の機能を確実に発揮させることができる。
【００１９】
また、１つの一対の脚部が仮抜止部、本抜止部および確認爪を備える構成においては、以下のようにすることもできる。すなわち、前記確認爪は、前記仮抜止部および前記本抜止部に対して軸方向に異なる位置に設けられ、前記一対の脚部は、前記確認爪の軸方向位置にて、前記環状突部を視認可能な窓部を有する。
作業者は窓部から、内部を視認することができ、パイプ体の環状突部がリテーナの本抜止部に係止されていることを確認できる。
【図面の簡単な説明】
【００２０】
【図１】（第一実施形態）クイックコネクタ１の斜視図である。
【図２】図１のクイックコネクタ１の正面図（軸直角方向から見た図）であり、一部分を断面図として示す図である。
【図３】図１の第二ハウジング２０の正面図（軸直角方向から見た図）である。
【図４】図３の上から見た図（平面図）である。
【図５】図４のＡ１−Ａ１断面図である。
【図６】図３のＡ２−Ａ２断面図である。
【図７】図３のＡ３方向から見た図である。
【図８】図３のＡ４方向から見た図である。
【図９】図３のＡ５−Ａ５断面図である。
【図１０】図３のＡ６−Ａ６断面図である。
【図１１】リテーナ３０の正面図（軸直角方向から見た図）である。
【図１２】図１１のＢ１方向から見た図である。
【図１３】図１１のＢ２方向から見た図である。
【図１４】図１１のＢ３方向から見た図である。
【図１５】図１１のＢ４方向から見た図である。
【図１６】図１２のＢ５−Ｂ５断面図である。
【図１７】（パイプ体挿入前状態）パイプ体３をクイックコネクタ１に挿入する前の状態であり、リテーナ３０が初期位置に位置する状態におけるクイックコネクタ１の軸方向断面図である。
【図１８】（パイプ体挿入前状態）図１７のＣ１−Ｃ１断面図である。
【図１９】（パイプ体挿入前状態）図１７のＣ２−Ｃ２断面図である。
【図２０】（パイプ体挿入初期状態）パイプ体３をクイックコネクタ１に挿入した初期状態における、クイックコネクタ１の軸方向断面図である。
【図２１】（パイプ体挿入初期状態）図２０のＤ１−Ｄ１断面図である。
【図２２】（パイプ体挿入初期状態）図２０のＤ２−Ｄ２断面図である。
【図２３】（パイプ体挿入完了状態）パイプ体３をクイックコネクタ１に挿入完了した状態における、クイックコネクタ１の軸方向断面図である。
【図２４】（パイプ体挿入完了状態）図２３のＥ１−Ｅ１断面図である。
【図２５】（パイプ体挿入完了状態）図２３のＥ２−Ｅ２断面図である。
【図２６】（確認状態）リテーナ３０を初期位置から確認位置へ移動させた状態におけるクイックコネクタ１の斜視図である。
【図２７】（確認状態）図２６におけるクイックコネクタ１の軸方向断面図である。
【図２８】（確認状態）図２７のＦ１−Ｆ１断面図である。
【図２９】（確認状態）図２７のＦ２−Ｆ２断面図である。
【図３０】（確認状態）図２６のクイックコネクタ１を軸直角方向から見た図であり、一部分を断面図として示す図である。
【図３１】（リリース前期状態）リテーナ３０をリリース前期状態とした場合において、リテーナ３０の確認爪４２を含む部分のクイックコネクタ１の断面図である。
【図３２】（リリース前期状態）リテーナ３０をリリース前期状態とした場合において、リテーナ３０の本抜止部４３を含む部分のクイックコネクタ１の断面図である。
【図３３】（リリース後期状態）リテーナ３０をリリース後期状態とした場合において、リテーナ３０の確認爪４２を含む部分のクイックコネクタ１の断面図である。
【図３４】（リリース後期状態）リテーナ３０をリリース後期状態とした場合において、リテーナ３０の本抜止部４３を含む部分のクイックコネクタ１の断面図である。
【図３５】（第二実施形態）第二ハウジング２０の正面図（軸直角方向から見た図）である。
【図３６】図３５の上から見た図（平面図）である。
【図３７】図３６のＡ１１−Ａ１１断面図である。
【図３８】図３５のＡ１２−Ａ１２断面図である。
【図３９】図３５のＡ１３方向から見た図である。
【図４０】図３５のＡ１４方向から見た図である。
【図４１】図３５のＡ１５−Ａ１５断面図である。
【図４２】図３５のＡ１６−Ａ１６断面図である。
【図４３】（第二実施形態）リテーナ１３０の正面図（軸直角方向から見た図）である。
【図４４】図４３のＢ１１方向から見た図である。
【図４５】図４３のＢ１２方向から見た図である。
【図４６】図４３のＢ１３方向から見た図である。
【図４７】図４３のＢ１４方向から見た図である。
【図４８】図４４のＢ１５−Ｂ１５断面図である。
【図４９】（パイプ体挿入前状態）パイプ体３をクイックコネクタ１に挿入する前の状態であり、リテーナ３０が初期位置に位置する状態におけるクイックコネクタ１の斜視図である。
【図５０】（パイプ体挿入前状態）図４９の状態において、リテーナ１３０の確認爪１４２を含む部分のクイックコネクタ１の断面図である。
【図５１】（パイプ体挿入前状態）図４９の状態において、リテーナ１３０の仮抜止部１４１および本抜止部１４３を含む部分のクイックコネクタ１の断面図である。
【図５２】（確認状態）リテーナ３０を初期位置から確認位置へ移動させた状態におけるクイックコネクタ１の斜視図である。
【図５３】（確認状態）図５２の状態において、リテーナ１３０の確認爪１４２を含む部分のクイックコネクタ１の断面図である。
【図５４】（確認状態）図５２の状態において、リテーナ１３０の仮抜止部１４１および本抜止部１４３を含む部分のクイックコネクタ１の断面図である。
【発明を実施するための形態】
【００２１】
＜第一実施形態＞
（クイックコネクタ１の概要）
本実施形態のクイックコネクタ１の概要について、図１および図２を参照して説明する。クイックコネクタ１は、例えば自動車の燃料配管を構成するために用いられるものである。つまり、クイックコネクタ１は、例えば燃料を流通させるための流路を形成している。クイックコネクタ１は、一端側に樹脂チューブ（図示せず）を外装し、他端側にパイプ体３（後述する）を挿入することにより、樹脂チューブとパイプ体３とを連結する。ここで、パイプ体３（後に図示する）は、筒状に形成されており、先端から軸方向に距離を隔てた位置に径方向外側に突出形成された環状突部３ａ（フランジ部）を備える。
ここで、以下の説明において、パイプ体３の軸方向から見た場合に、リテーナ３０の押し込み方向を下方向とし、反押し込み方向を上方向として説明する。
【００２２】
クイックコネクタ１は、コネクタ本体としての第一ハウジング１０および第二ハウジング２０と、リテーナ３０と、カラー７０と、環状シール部材８１，８２とを備えて構成される。
第一ハウジング１０（コネクタ本体）は、例えばガラス繊維強化ポリアミド製であって、貫通した筒状に一体形成されている。なお、図１および図２に示す第一ハウジング１０は、Ｌ字状に貫通形成される形状を示しているが、この他に、直線状に貫通形成されるようにしてもよい。
【００２３】
図１および図２に示すように、第一ハウジング１０の一端側（図１および図２の下側）には、樹脂チューブ（図示せず）を接続するチューブ接続部１１が設けられる。チューブ接続部１１の外周面は、樹脂チューブを嵌め込んだ状態で抜けないようにするために、流路に沿った軸方向に向かって段状に形成されている。
【００２４】
一方、第一ハウジング１０の他端側（図１および２の右側）には、パイプ体３（後述する）の先端部を挿入可能に開口形成されたパイプ挿入部１２が設けられている。パイプ挿入部１２の内周側には、例えばフッ素ゴム製の環状シール部材８１，８２と、環状シール部材８１，８２の軸方向の間に挟まれるようにして樹脂製のカラー７０とが収容されている。これらの内周側にパイプ体３の先端が挿入されることになる。
【００２５】
第二ハウジング２０（コネクタ本体）は、図１および図２に示すように、例えばガラス繊維強化ポリアミド製であって、ほぼ筒状に一体形成されている。第二ハウジング２０は、第一ハウジング１０のパイプ挿入部１２側に連結される。
【００２６】
リテーナ３０は、例えばガラス繊維強化ポリアミド製である。リテーナ３０は、作業者による径方向（第二ハウジング２０の軸方向に交差する方向）への押し込み操作によって、第二ハウジング２０に移動可能に設けられている。そして、パイプ体３が第二ハウジング２０の適正位置に挿入された場合に、リテーナ３０が初期位置から確認位置へ移動することが可能となる。従って、作業者は、リテーナ３０を押し込み操作できる場合には、パイプ体３が適正位置に挿入されたと確認できる。
【００２７】
さらに、リテーナ３０が押し込み操作された状態において、リテーナ３０は、パイプ体３の環状突部３ａに対して軸方向に係止する。つまり、作業者は、リテーナ３０を押し込み操作することによって、パイプ体３が適正位置に挿入され、かつ、パイプ体３がリテーナ３０によって抜け止めされていることを、確認することができる。
【００２８】
（第二ハウジング２０の詳細構成）
第二ハウジング２０の詳細構成について、図３〜図１０を参照して説明する。第二ハウジング２０は、筒部２１と、開口端座部材２２と、下部連結部材２３と、上部連結部材２４と、ガイド部２５，２５と、被係止部２６，２６と、ストッパ２７，２７とを備える。筒部２１は、第一ハウジング１０のパイプ挿入部１２に嵌合される。そして、第一ハウジング１０の段部と筒部２１の端面との軸方向間に、カラー７０および環状シール部材８１，８２が位置決めされている。
【００２９】
開口端座部材２２は、図３〜図６に示すように、筒部２１から軸方向に距離を隔てて対向するように同軸上に設けられている。さらに、開口端座部材２２には、図５および図６に示すように、中心孔２２ａが形成されている。中心孔２２ａは、パイプ体３の環状突部３ａを通過可能な大きさに形成されている。
【００３０】
下部連結部材２３は、図５、図６、図９および図１０に示すように、筒部２１の下部と開口端座部材２２の下部とを軸方向に連結する部分である。上部連結部材２４は、図５、図６、図９および図１０に示すように、筒部２１の上部と開口端座部材２２の上部とを連結する。ここで、下部連結部材２３および上部連結部材２４は、パイプ体３の環状突部３ａに対して軸方向に干渉しない位置に設けられている。
【００３１】
ガイド部２５，２５は、図９および図１０に示すように、上部連結部材２４の下側面の左右端から下方向に向かってそれぞれ突出するように設けられている。ガイド部２５，２５は、円弧形状に形成されている。ガイド部２５，２５は、図６に示すように、上部連結部材２４の上側面のうち筒部２１側（図６の左側）に設けられている。
【００３２】
被係止部２６，２６は、図９および図１０に示すように、下部連結部材２３の上側面の左右端から上方向に向かってそれぞれ突出するように設けられている。被係止部２６，２６の上端は鋭角状に形成されている。被係止部２６，２６は、図６に示すように、下部連結部材２３の上側面のうち筒部２１側（図６の左側）に設けられている。そして、被係止部２６，２６は、パイプ体３の環状突部３ａに対して軸方向に干渉しない位置に設けられている。
【００３３】
さらに、被係止部２６，２６は、ガイド部２５，２５に対して隙間を形成するように設けられている。また、上部連結部材２４のうちガイド部２５，２５が形成されていない部位と、下部連結部材２３のうち被係止部２６，２６が形成されていない部位には、被係止部２６，２６とガイド部２５，２５との隙間に比べて周方向に大きな角度の隙間が形成されている。
【００３４】
一対のストッパ２７，２７は、図３，図９および図１０に示すように、筒部２１の両側面と開口端座部材２２の両側面とをそれぞれ連結する。特に、一対のストッパ２７，２７は、筒部２１および開口端座部材２２のそれぞれの両側面のうち、上下方向中央より下側部分を連結する。一対のストッパ２７，２７は、パイプ体３の環状突部３ａに対して軸方向に干渉しない位置に設けられている。
【００３５】
つまり、一対のストッパ２７，２７と上部連結部材２４との間には、周方向に延びる隙間が形成されている。さらに、一対のストッパ２７，２７と下部連結部材２３との間にも隙間が形成されている。
【００３６】
（リテーナ３０の詳細構成）
次に、リテーナ３０の詳細構成について、図１１〜図１６を参照して説明する。リテーナ３０は、板状に形成された基部３１と、基部３１の両端に設けられ、拡開可能な一対の脚部３２，３２と、一対の脚部３２，３２を拡開させるリリース用操作部３３，３３を備える。
【００３７】
一対の脚部３２，３２のそれぞれの脚部３２は、仮抜止部４１、確認爪４２、本抜止部４３、脚基部４５を備える。
仮抜止部４１，４１は、それぞれの脚部３２，３２の先端側（基部３１の反対側）に設けられる。具体的には、仮抜止部４１，４１の対向する側の面（内側面）が、パイプ体３の環状突部３ａより小径の円弧凹状に形成される。さらに、仮抜止部４１，４１の一方の端面（図１６の左側面）は、平面状に形成されているが、他方の端面（図１６の右側面）は、円弧中心に向かって傾斜した形状に形成されている。つまり、仮抜止部４１，４１の厚みが、円弧中心に向かって薄くなるように形成されている。
【００３８】
確認爪４２，４２は、一対の脚部３２，３２の先端側、より詳細には仮抜止部４１，４１の先端側に設けられる。確認爪４２，４２のそれぞれは、仮抜止部４１，４１のそれぞれの平面状端面から軸方向に突出するように形成されている。つまり、確認爪４２，４２のそれぞれの対向側の面は、図１３に示すように、仮抜止部４１，４１の対向側の面よりも、外側に位置する。つまり、仮抜止部４１，４１が、確認爪４２，４２より対向側に突出している。
【００３９】
本抜止部４３，４３は、それぞれの脚部３２，３２の基端側（基部３１側）に設けられる。さらに、本抜止部４３，４３は、仮抜止部４１，４１と軸方向に同一位置に設けられる。つまり、本抜止部４３，４３は、確認爪４２，４２とは軸方向に異なる位置に設けられる。
【００４０】
脚基部４５，４５は、それぞれの脚部３２，３２の基端側（基部３１側）に設けられ、基部３１側から先端側に向かって対向距離が広がるように傾斜している。脚基部４５，４５は、第二ハウジング２０のガイド部２５，２５に当接可能な部位である。
【００４１】
より詳細には、本抜止部４３，４３の対向する側の面（内側面）が、パイプ体３の環状突部３ａより小径の円弧凹状に形成される。さらに、本抜止部４３，４３の両端面（図１６の左右両側）は、平面状に形成される。そして、本抜止部４３，４３の厚みは、全体に亘って同一であって、仮抜止部４１，４１の最も厚い部位の厚みと同程度に形成されている。
【００４２】
ここで、確認爪４２，４２は、仮抜止部４１，４１および本抜止部４３，４３に対して軸方向に異なる位置に設けられている。従って、基部３１と一対の脚部３２，３２の確認爪４２，４２との間には、窓部４４が形成されている。この窓部４４は、パイプ体３が第二ハウジング２０に挿入された状態において、パイプ体３の環状突部３ａを視認可能とするための部位である。
【００４３】
リリース用操作部３３，３３は、基部３１の両端から隙間を介して、一対の脚部３２，３２の基端側から延びるように形成される。つまり、リリース用操作部３３，３３は、外側から挟む力によって、一対の脚部３２，３２を拡開させる。
【００４４】
（動作説明）
次に、クイックコネクタ１にパイプ体３を挿入する際のクイックコネクタ１の各部の動作について説明する。その後に、クイックコネクタ１からパイプ体３を抜く際のクイックコネクタ１の各部の動作について説明する。
【００４５】
（パイプ体挿入前状態）
まず、パイプ体３をクイックコネクタ１に挿入する前の状態について、図１７〜図１９を参照して説明する。パイプ体挿入前状態とは、図１７〜図１９に示すように、リテーナ３０を第二ハウジング２０に対して初期位置に位置する状態である。詳細には、図１７に示すように、リテーナ３０を、第二ハウジング２０の筒部２１と開口端座部材２２との軸方向間の上側から装着する。
【００４６】
このとき、図１８に示すように、リテーナ３０の確認爪４２，４２が、被係止部２６，２６とガイド部２５，２５との周方向隙間に入り込んだ状態となる。従って、確認爪４２，４２は、リテーナ３０が初期位置に位置する場合に、第二ハウジング２０の被係止部２６，２６に対して押し込み方向（下方向）に係止されることにより、押し込み操作によるリテーナ３０の移動を規制する。
【００４７】
さらに、図１９に示すように、リテーナ３０が初期位置に位置する場合に、仮抜止部４１，４１は、上部連結部材２４と下部連結部材２３との周方向隙間に入り込む。このとき、仮抜止部４１，４１の対向側の面の円弧中心が、第二ハウジング２０の中心に一致する状態となる。
【００４８】
（パイプ体挿入初期状態）
次に、パイプ体３の先端の一部を第二ハウジング２０の開口端座部材２２側から挿入した状態（パイプ体挿入初期状態）について、図２０〜図２２を参照して説明する。図２０に示すように、パイプ体３を第二ハウジング２０に挿入して行くと、パイプ体３の環状突部３ａは、開口端座部材２２の中心孔２２ａを通過する。
【００４９】
ここで、図２２に示すように、仮抜止部４１，４１の円弧面の内径は、環状突部３ａの外径より小さい。従って、環状突部３ａが仮抜止部４１，４１の対向側の傾斜面に当接する。この当接に伴って、環状突部３ａが仮抜止部４１，４１を径方向外方へ移動させることになり、結果として、一対の脚部３２，３２が拡開する。そうすると、パイプ体３の環状突部３ａが仮抜止部４１，４１を通過できるため、パイプ体３がさらに奥へ挿入可能となる。
【００５０】
上記のとおり、一対の脚部３２，３２が拡開するため、図２１に示すように、確認爪４２，４２の対向面間距離も拡大している。ここで、確認爪４２，４２の対向側の面は、仮抜止部４１，４１の対向側の面より外側に位置する。従って、環状突部３ａが仮抜止部４１，４１を通過可能な状態であれば、当然に、環状突部３ａは、確認爪４２，４２に対して引っ掛かることはない。
【００５１】
（パイプ体挿入完了状態）
次に、パイプ体３をさらに奥側へ挿入した状態（パイプ体挿入完了状態）について、図２３〜図２５を参照して説明する。図２３に示すように、パイプ体３の環状突部３ａが、仮抜止部４１，４１の位置を通過して、確認爪４２，４２の位置に移動する。
【００５２】
そうすると、図２４に示すように、確認爪４２，４２が環状突部３ａに当接する。この当接によって、一対の脚部３２，３２が拡開する。ここで、確認爪４２，４２の対向側の面は、仮抜止部４１，４１の対向側の面より外側に位置する。従って、環状突部３ａが確認爪４２，４２に当接している状態における一対の脚部３２，３２の拡開量（図２４，２５）は、環状突部３ａが仮抜止部４１，４１に当接している状態における一対の脚部３２，３２の拡開量（図２１，２２）より小さい。
【００５３】
従って、環状突部３ａが仮抜止部４１，４１を通過して確認爪４２，４２に当接した状態になると、一対の脚部３２，３２は僅かに拡開量が減少する。そのため、図２５に示すように、仮抜止部４１，４１の端面が環状突部３ａに対して係止することで、パイプ体３が抜け止めされる。
【００５４】
つまり、リテーナ３０を押し込み操作する前の状態であるが、パイプ体３を適正位置に挿入した状態であれば、パイプ体３の抜け止めが可能となる。従って、リテーナ３０を押し込み操作する前の状態であっても、パイプ体３は第二ハウジング２０から容易に引き抜かれない。
【００５５】
ここで、パイプ体３が適正位置に挿入された状態においては、確認爪４２，４２は、パイプ体３の環状突部３ａに当接することに伴って径方向外方へ移動することにより、第二ハウジング２０の被係止部２６，２６に対する押し込み方向（下方向）への係止を解除して、リテーナ３０の初期位置から確認位置への移動を許容する。
【００５６】
（確認状態）
次に、リテーナ３０が初期位置から確認位置に移動した状態（確認状態）について、図２６〜図３０を参照して説明する。ここで、図２１に示すように、パイプ体挿入状態において、確認爪４２，４２は、被係止部２６，２６に対して係止解除されて、リテーナ３０は、初期位置から確認位置へ移動することができる状態となっている。
【００５７】
この状態で、作業者がリテーナ３０の基部３１を下方向へ押し込み操作すると、図２６および図２７に示すように、リテーナ３０が第二ハウジング２０に対して移動する。そうすると、図２８に示すように、確認爪４２，４２は、被係止部２６，２６の基端側（図２８の下側）に入り込む。さらに、仮抜止部４１，４１は、下部連結部材２３の側面に対して隙間を介して対向する位置へ移動する。従って、一対の脚部３２，３２の拡開が解除される。
【００５８】
そうすると、図２８に示すように、確認爪４２，４２は、被係止部２６，２６に対して反押し込み方向（図２８の上方向）に係止される。さらに、この状態において、脚基部４５，４５の押し込み方向（図２８の下方向）には、僅かな隙間を介してまたは隙間を有することなくガイド部２５，２５が存在する。従って、リテーナ３０は、第二ハウジング２０に対して上下方向へ移動することが規制される。
【００５９】
この状態において、本抜止部４３，４３の対向側の面の円弧中心が、第二ハウジング２０の中心に一致する。本抜止部４３，４３の円弧面の内径は、環状突部３ａの外径より小さい。従って、図２９に示すように、本抜止部４３，４３は、リテーナ３０が押し込み操作後の確認位置に位置する場合に環状突部３ａに対して係止することで、パイプ体３が抜け止めされる。
【００６０】
このように、パイプ体３が適正位置に位置する場合に、リテーナ３０が押し込み操作可能となる。つまり、リテーナ３０が押し込み操作されることにより、パイプ体３が適正位置に挿入されたことを確認できる。リテーナ３０がチェッカー機能を有することで、クイックコネクタ１を構成する部品点数が低減される。
【００６１】
さらに、リテーナ３０は、上述した仮抜止部４１，４１とは別に、本抜止部４３，４３を備える。リテーナ３０が押し込み操作された後には、本抜止部４３，４３がパイプ体３の環状突部３ａに係止される。従って、本抜止部４３，４３が、確実にパイプ体３の抜け止めを可能とする。
【００６２】
ここで、本抜止部４３，４３は、仮抜止部４１，４１より一対の脚部３２，３２の基端側に設けられている。従って、一対の脚部３２，３２が拡開した状態において、基端側の拡開量が、先端側の拡開量より小さくなる。一対の脚部３２，３２が拡開した場合であっても、本抜止部４３，４３による抜止力が、仮抜止部４１，４１による抜止力より大きくできる。従って、リテーナ３０を押し込み操作して確認位置に位置する状態において、パイプ体３の抜止効果を確実に発揮する。
【００６３】
さらに、リテーナ３０が確認位置に位置する場合に、ストッパ２７，２７は、一対の脚部３２，３２の大きな拡開を規制する。ただし、ストッパ２７，２７は、確認爪４２，４２が被係止部２６，２６に対する係止を解除できる程度に、一対の脚部３２，３２の僅かな拡開を許容する。つまり、ストッパ２７，２７は、一対の脚部３２，３２の拡開量を制限する。
【００６４】
そして、一対の脚部３２，３２が拡開してストッパ２７，２７に当接する状態において、本抜止部４３，４３は、環状突部３ａに係止した状態を維持する。つまり、リテーナ３０が確認位置に位置する状態であれば、本抜止部４３，４３は、パイプ体３を抜け止めしている。
【００６５】
ところで、リテーナ３０には、基部３１と一対の脚部３２，３２の確認爪４２，４２との間に窓部４４が形成されている。図３０に示すように、リテーナ３０が確認位置に位置する場合に、作業者は、窓部４４からパイプ体３の環状突部３ａを視認することができる。つまり、窓部４４から内部を視認することによって、パイプ体３の環状突部３ａがリテーナ３０によって抜け止めされる位置（適正位置）に位置することを確認できる。そして、作業者は、パイプ体３の環状突部３ａがリテーナ３０の本抜止部４３，４３に係止されていることを確認できる。
【００６６】
（リリース状態）
保守などにおいてクイックコネクタ１からパイプ体３を引き抜く場合が生じる。ここで、パイプ体３をクイックコネクタ１から引き抜きことができる状態までを、２段階に分けて説明する。
【００６７】
まずは、リテーナ３０をリリースする際の前期状態（リリース前期状態）について、図３１および図３２を参照して説明する。また、リテーナ３０をリリースする際の後期状態（リリース後期状態）について、図３３および図３４を参照して説明する。
【００６８】
図３１および図３２に示すように、作業者がリリース用操作部３３，３３をつまみ、リリース用操作部３３，３３の先端側の離間距離を狭くする（第一の操作）。そうすると、リリース用操作部３３，３３の根元部分を基準として、一対の脚部３２，３２が拡開する。一対の脚部３２，３２がストッパ２７，２７に当接する程度に拡開すると、確認爪４２，４２は、被係止部２６，２６に対して係止解除される。
【００６９】
同時に、作業者は、リテーナ３０の引き上げ操作を行う（第一の操作）。そうすると、図３３および図３４に示したように、確認爪４２，４２が、リテーナ３０の確認爪４２，４２が、被係止部２６，２６とガイド部２５，２５との周方向隙間に対応する位置に移動する。つまり、リテーナ３０は確認位置から初期位置へ移動する。
【００７０】
仮に、このときに、作業者がリリース用操作部３３，３３に与える力を解放した場合には、リテーナ３０は、図２３〜図２５に示す状態と同様の状態となる。つまり、確認爪４２，４２が、被係止部２６，２６とガイド部２５，２５との周方向隙間に入り込む。そして、確認爪４２，４２は、環状突部３ａに当接することになり、一対の脚部３２，３２は拡開した状態となる。この状態では、仮抜止部４１，４１が環状突部３ａに対して係止する状態となるため、作業者は、パイプ体３を引き抜くことができない。
【００７１】
そこで、リテーナ３０が初期位置に位置する場合に、作業者が再びリリース用操作部３３，３３をつまみ、リリース用操作部３３，３３の先端側の離間距離を狭くする（第二の操作）。そうすると、一対の脚部３２，３２が拡開することで、仮抜止部４１，４１と環状突部３ａとの係止が解除される。従って、パイプ体３の第二ハウジング２０からの引き抜きが許容される。つまり、作業者は、パイプ体３を第二ハウジング２０から引き抜くことができる。
【００７２】
＜第二実施形態＞
次に、上記とは異なる形態のクイックコネクタ１について説明する。本実施形態のクイックコネクタ１は、上記実施形態のクイックコネクタ１に対して、第二ハウジング２０およびリテーナ１３０の形状が異なる。以下、異なる部分を中心に説明する。
【００７３】
（第二ハウジング２０の詳細構成）
第二ハウジング２０は、図３５〜図４２に示す通りである。第二ハウジング２０は、筒部２１と、開口端座部材２２と、下部連結部材２３と、上部連結部材２４と、ガイド部２５，２５と、被係止部２６，２６と、ストッパ２７，２７とを備える。ここで、当該第二ハウジング２０の各構成部は、上記実施形態における第二ハウジング２０の各構成部と異なるが、大きな相違がないため、詳細な説明を省略する。
【００７４】
（リテーナ１３０の詳細構成）
次に、リテーナ１３０の詳細構成について、図４３〜図４８を参照して説明する。リテーナ１３０は、板状に形成された基部１３１と、基部１３１の両端に設けられ、拡開可能な一対の第一脚部１３２，１３２と、基部１３１の両端に設けられ、拡開可能な一対の第二脚部１３３，１３３と、一対の第一脚部１３２および一対の第二脚部１３３を拡開させるリリース用操作部１３４，１３４を備える。
【００７５】
一対の第一脚部１３２，１３２のそれぞれは、仮抜止部１４１、本抜止部１４３を備える。仮抜止部１４１，１４１は、それぞれの第一脚部１３２，１３２の先端側に設けられる。また、本抜止部１４３，１４３は、それぞれの第一脚部１３２，１３２の基端側に設けられる。なお、仮抜止部１４１および本抜止部１４３は、上記実施形態の該当部に対して形状を異にするが、実質的に同様の機能を有する。
【００７６】
一対の第二脚部１３３，１３３は、一対の第一脚部１３２，１３２に対して軸方向に隣接して設けられる。そして、一対の第二脚部１３３，１３３は、一対の第一脚部１３２，１３２とは独立して拡開可能である。一対の第二脚部１３３，１３３のそれぞれは、先端側に確認爪１４２，１４２を備える。確認爪１４２，１４２は、上記実施形態の該当部に対して形状を異にするが、実質的に同様の機能を有する。また、一対の第二脚部１３３，１３３における基部１３１側は、上記実施形態の脚基部４５と実質的に同様の機能を有する。
リリース用操作部１３４，１３４は、上記実施形態の該当部に対して形状を異にするが、実質的に同様の機能を有する。
【００７７】
（動作説明）
次に、本実施形態のクイックコネクタ１にパイプ体３を挿入する際の各部の動作について説明する。
（パイプ体挿入前状態）
パイプ体３をクイックコネクタ１に挿入する前の状態について、図４９〜図５１を参照して説明する。図４９に示すように、第二ハウジング２０にリテーナ１３０が装着される。この場合、図５０に示すように、リテーナ１３０の確認爪１４２，１４２が、第二ハウジング２０の被係止部２６，２６とガイド部２５，２５との隙間に入り込む。また、図５１に示すように、リテーナ１３０の仮抜止部１４１，１４１が、パイプ体３の環状突部３ａに係止され得る位置に位置する。
【００７８】
（パイプ体挿入初期状態）
パイプ体３を第二ハウジング２０に挿入すると、パイプ体３の環状突部３ａがリテーナ１３０の仮抜止部１４１，１４１に当接することにより、一対の第一脚部１３２，１３２が拡開する。このとき、一対の第二脚部１３３，１３３は、一対の第一脚部１３２，１３２とは独立しているため、拡開されない。
【００７９】
（パイプ体挿入完了状態）
次に、パイプ体３をさらに奥側へ挿入すると、パイプ体３の環状突部３ａがリテーナ１３０の確認爪１４２，１４２に当接することにより、一対の第二脚部１３３，１３３が拡開する。つまり、確認爪１４２，１４２が、第二ハウジング２０の被係止部２６，２６に対して押し込み方向（下方向）への係止を解除する。
【００８０】
このとき、一対の第一脚部１３２，１３２の拡開が解除される。従って、パイプ体３の環状突部３ａは、仮抜止部１４１，１４１に対して軸方向に係止されるため、パイプ体３は抜け止めされる。
【００８１】
（確認状態）
次に、リテーナ１３０が初期位置から確認位置に移動した状態（確認位置）について、図５２〜図５４を参照して説明する。図５２に示すように、リテーナ１３０は第二ハウジング２０の中に押し込まれる。このとき、図５３に示すように、確認爪１４２，１４２は、被係止部２６，２６の基端側（図５３の下側）へ入り込む。つまり、確認爪１４２，１４２は、被係止部２６，２６に対して反押し込み方向（図５３の上方向）に係止される。さらに、この状態において、一対の第二脚部１３３，１３３の上側傾斜部分の押し込み方向（図５３の下方向）には、僅かな隙間を介してまたは隙間を有することなくガイド部２５，２５が存在する。従って、リテーナ１３０は、第二ハウジング２０に対して上下方向へ移動することが規制される。
【００８２】
このとき、図５４に示すように、リテーナ１３０の本抜止部１４３，１４３がパイプ体３の環状突部３ａに対して軸方向に係止する。従って、パイプ体３が抜け止めされる。なお、リリース操作に関しては、上記実施形態と実質的に同様であるため、説明を省略する。本実施形態においても、上記同様の効果を奏する。
【符号の説明】
【００８３】
１：クイックコネクタ、  ３：パイプ体、  ３ａ：環状突部、  １０：第一ハウジング（コネクタ本体）、  ２０：第二ハウジング（コネクタ本体）、  ２１：筒部、  ２２：開口端座部材、  ２２ａ：中心孔、  ２３：下部連結部材、  ２４：上部連結部材、  ２５：ガイド部、  ２６：被係止部、  ２７：ストッパ、  ３０、１３０：リテーナ、  ３１、１３１：基部、  ３２：一対の脚部、  ３３、１３４：リリース用操作部、  ４１、１４１：仮抜止部、  ４２、１４２：確認爪、  ４３、１４３：本抜止部、  ４４：窓部、  ４５：脚基部、  １３２：一対の第一脚部、  １３３：一対の第二脚部
【図１】
2015048917.tif 000003
【図２】
2015048917.tif 000004
【図３】
2015048917.tif 000005
【図４】
2015048917.tif 000006
【図５】
2015048917.tif 000007
【図６】
2015048917.tif 000008
【図７】
2015048917.tif 000009
【図８】
2015048917.tif 000010
【図９】
2015048917.tif 000011
【図１０】
2015048917.tif 000012
【図１１】
2015048917.tif 000013
【図１２】
2015048917.tif 000014
【図１３】
2015048917.tif 000015
【図１４】
2015048917.tif 000016
【図１５】
2015048917.tif 000017
【図１６】
2015048917.tif 000018
【図１７】
2015048917.tif 000019
【図１８】
2015048917.tif 000020
【図１９】
2015048917.tif 000021
【図２０】
2015048917.tif 000022
【図２１】
2015048917.tif 000023
【図２２】
2015048917.tif 000024
【図２３】
2015048917.tif 000025
【図２４】
2015048917.tif 000026
【図２５】
2015048917.tif 000027
【図２６】
2015048917.tif 000028
【図２７】
2015048917.tif 000029
【図２８】
2015048917.tif 000030
【図２９】
2015048917.tif 000031
【図３０】
2015048917.tif 000032
【図３１】
2015048917.tif 000033
【図３２】
2015048917.tif 000034
【図３３】
2015048917.tif 000035
【図３４】
2015048917.tif 000036
【図３５】
2015048917.tif 000037
【図３６】
2015048917.tif 000038
【図３７】
2015048917.tif 000039
【図３８】
2015048917.tif 000040
【図３９】
2015048917.tif 000041
【図４０】
2015048917.tif 000042
【図４１】
2015048917.tif 000043
【図４２】
2015048917.tif 000044
【図４３】
2015048917.tif 000045
【図４４】
2015048917.tif 000046
【図４５】
2015048917.tif 000047
【図４６】
2015048917.tif 000048
【図４７】
2015048917.tif 000049
【図４８】
2015048917.tif 000050
【図４９】
2015048917.tif 000051
【図５０】
2015048917.tif 000052
【図５１】
2015048917.tif 000053
【図５２】
2015048917.tif 000054
【図５３】
2015048917.tif 000055
【図５４】
2015048917.tif 000056